(57)【要約】  【課題】各種商品を効率よく陳列販売することができる平型冷凍ショーケース用の商品陳列用仕切板を提供する。  【解決手段】商品陳列部２内に箱形仕切板１１、板状仕切板１２及び中間仕切板１３の３種の仕切板を組み合わせて配置する。大きさが比較的小さいアイスクリームを陳列販売する場合は、下から板状仕切板１２、中間仕切板１３、箱形仕切板１１の順に配置する。大きさが比較的大きく不揃いな冷凍食品を陳列販売する場合には、下から箱形仕切板１１、中間仕切板１３、板状仕切板１２の順に配置する。【選択図】図３
2008220500.tif 000002
【特許請求の範囲】
【請求項１】
四周が断熱壁に囲まれて上方が開口した商品陳列部を有する平型冷凍ショーケースに設置される商品陳列用仕切板において、
該仕切板は、上方が開口した箱形に形成された箱形仕切板（１１）と、１枚の垂直方向の仕切板部（１２ａ）の両端に仕切板部に直交する端板（１２ｂ）をそれぞれ設けた板状仕切板（１２）と、前記箱形仕切板及び前記板状仕切板の上に載置可能で、かつ、その上に前記箱形仕切板及び前記板状仕切板を載置可能な水平方向の中間仕切板（１３）とを有し、各仕切板は冷気が流通可能な部材によってそれぞれ形成されるとともに、
前記箱形仕切板（１１）は前記商品陳列部内の幅方向及び奥行き方向に複数個が並べて配置可能な大きさに、前記板状仕切板（１２）は両端の端板外面間の寸法が前記商品陳列部の内方より僅かに小さく形成され、隣接する板状仕切板の端板（１２ｂ）同士を重ね合わせた状態で商品陳列部の奥行き方向に仕切板部（１２ａ）を向けて配置可能な大きさにそれぞれ形成され、
箱形仕切板及び板状仕切板の高さが、前記商品陳列部の底面から商品陳列部の一側に設けられた冷気吹出口及び冷気吸込口までの高さ寸法の略１／２に形成されていることを特徴とする商品陳列用仕切板。
【発明の詳細な説明】
【技術分野】
【０００１】
本発明は、商品陳列用仕切板に関し、詳しくは、四周が断熱壁に囲まれて上方が開口した商品陳列部を有する平型冷凍ショーケースに設置される商品陳列用仕切板に関する。
【背景技術】
【０００２】
従来から、スーパーマーケットやコンビニエンスストア等の食品売場では、アイスクリームや冷凍食品を陳列販売するために平型冷凍ショーケースが用いられている。このような平型冷凍ショーケースでは、陳列した商品の見易さや手に取り易さを考慮して、商品を上方にセットすることが行われている（例えば、特許文献１参照。）。
【特許文献１】特開２０００−１１６４７３号公報
【発明の開示】
【発明が解決しようとする課題】
【０００３】
一般的に、平型冷凍ショーケースをアイスクリーム販売用に使用する場合は、アイスクリームの大きさが比較的小さいため、ワイヤーを組んで箱形に形成した籠を上下二段に使用し、上段の籠をアイススクリーム販売用に、下段の籠を補充用アイスクリームの保管用として用いるようにしている。また、平型冷凍ショーケースを冷凍食品販売用に使用する場合は、冷凍食品の大きさが比較的大きく、不揃いであるため、前述のような籠を使用することができず、前記特許文献１に記載されているように、補助陳列棚を適宜セットするようにしていた。
【０００４】
そこで本発明は、一つの平型冷凍ショーケースをアイスクリーム販売用及び冷凍食品販売用の両方に任意に選択使用することができ、販売用商品の見易さ及び取り易さを考慮しながら、補充用商品の保管も行うことができる平型冷凍ショーケース用の商品陳列用仕切板を提供することを目的とする。
【課題を解決するための手段】
【０００５】
上記の課題を解決するため本発明は、四周が断熱壁に囲まれて上方が開口した商品陳列部を有する平型冷凍ショーケースに設置される商品陳列用仕切板において、該仕切板は、上方が開口した箱形に形成された箱形仕切板と、１枚の垂直方向の仕切板部の両端に仕切板部に直交する端板をそれぞれ設けた板状仕切板と、前記箱形仕切板及び前記板状仕切板の上に載置可能で、かつ、その上に前記箱形仕切板及び前記板状仕切板を載置可能な水平方向の中間仕切板とを有し、各仕切板は冷気が流通可能な部材によってそれぞれ形成されるとともに、前記箱形仕切板は前記商品陳列部内の幅方向及び奥行き方向に複数個が並べて配置可能な大きさに、前記板状仕切板は両端の端板外面間の寸法が前記商品陳列部の内方より僅かに小さく形成され、隣接する板状仕切板の端板同士を重ね合わせた状態で商品陳列部の奥行き方向に仕切板部を向けて配置可能な大きさにそれぞれ形成され、箱形仕切板及び板状仕切板の高さが、前記商品陳列部の底面から商品陳列部の一側に設けられた冷気吹出口及び冷気吸込口までの高さ寸法の略１／２に形成されていることを特徴としている。
【発明の効果】
【０００６】
本発明の商品陳列用仕切板は、大きさが比較的小さいアイスクリームを陳列販売する場合には、複数の板状仕切板を、その仕切板部を奥行き方向に向けて幅方向に適当な間隔で商品陳列部の底面上に並べ、この板状仕切板の上に複数の中間仕切板を水平に並べて商品陳列部を上下に区画し、この中間仕切板の上に複数の箱形仕切板を載置する。これにより、上段に設置した箱形仕切板内にアイスクリームを収容し、見易く、手に取り易い状態で
陳列販売することができる。そして、下段の板状仕切板間を補充用アイスクリームの保管用として用いる。
【０００７】
一方、大きさが比較的大きく不揃いな冷凍食品を陳列販売する場合には、複数の箱形仕切板を商品陳列部の底面上に並べ、その上に複数の中間仕切板を水平に並べて商品陳列部を上下に区画し、この中間仕切板の上に複数の板状仕切板を載置する。このとき、隣接する板状仕切板の端板同士を重ね合わせることによって仕切板部間の間隔を狭くすることができ、また、任意に広くすることもできるので、冷凍食品の大きさに合わせて板状仕切板を配置することにより、大きさが異なる冷凍食品をきれいに並べて陳列販売することができる。下段の箱形仕切板内は、補充用冷凍食品の保管用として用いることができる。
【０００８】
したがって、所定数の箱形仕切板、板状仕切板及び中間仕切板を組み合わせることにより、一つの平型冷凍ショーケースを必要に応じてアイスクリーム販売用と冷凍食品販売用とに使い分けることができ、アイスクリームを販売するときも、冷凍食品を販売するときも、見易く、手に取り易い状態で陳列販売することができる。
【発明を実施するための最良の形態】
【０００９】
以下、本発明の一実施の形態について、図面に基づき説明する。
図１は本発明の一実施形態を示す平型冷凍オープンショーケースの断面側面図、図２は同じく平型冷凍オープンショーケースの平面図、図３はアイスクリーム販売用として使用する場合の各仕切板の配置例を示す斜視図、図４は冷凍食品販売用として使用する場合の各仕切板の配置例を示す斜視図、図５は隣接する板状仕切板の間隔を狭くした状態を示す概略平面図である。
【００１０】
まず、平型冷凍オープンショーケース１は、四周が断熱壁に囲まれて上方が開口した箱形の商品陳列部２の下部に冷却器３及び送風機４を収容した下部ダクト５が設けられている。商品陳列部２の後方側には、上部に冷気吹出口６を有する後部ダクト７が設けられるとともに、商品陳列部２の前方側には、上部に冷気吸込口８を有する前部ダクト９が設けられている。そして、冷気吹出口６から商品陳列部２の上方に向けて吹き出された冷気を冷気吸込口８で吸い込むことにより、冷気を循環させながら商品陳列部２の上方に冷気によるエアーカーテンを形成している。
【００１１】
商品陳列部２内にアイスクリームや冷凍食品を陳列して販売する際には、冷気の流通を妨げないように、それぞれワイヤーを組み合わせて形成した箱形仕切板１１、板状仕切板１２及び中間仕切板１３の３種の仕切板１１，１２，１３を組み合わせて使用することにより、商品陳列部２内を上下２段に区画するとともに、幅方向及び奥行き方向も適当に区画して商品を陳列する。
【００１２】
箱形仕切板１１は、長方形状の底板１１ａの四辺に側板１１ｂをそれぞれ設けたものであって、本形態例では、長辺の外面寸法は商品陳列部２の奥行き寸法の１／２より僅かに小さな寸法とし、短辺の外面寸法は商品陳列部２の幅寸法の１／６より僅かに小さな寸法に設定され、商品陳列部２内に奥行き方向に２個、幅方向に６個、計１２個が配置できるように形成されている。
【００１３】
板状仕切板１２は、１枚の垂直方向の仕切板部１２ａの両端に仕切板部１２ａに直交する端板１２ｂをそれぞれ設けたもので、両端板１２ｂの両外面間の寸法は、商品陳列部２の奥行き寸法（内法）よりも僅かに小さく設定され、図５に示すように、隣接する板状仕切板１２，１２の端板１２ｂ，１２ｂ同士を前後に重ね合わせた状態で商品陳列部２の奥行き方向に仕切板部１２ａを向けて配置可能な大きさに形成されている。また、端板１２ｂの幅寸法は、前記箱形仕切板１１の短辺の外面寸法と略同一に設定されている。さらに
、端板１２ｂの下端及び仕切板部１２ａの中央部下端には、水平方向の脚部１２ｃがそれぞれ設けられている。
【００１４】
中間仕切板１３は、長方形状の底板部１３ａの両短辺から下方に向かって屈曲した係止片１３ｂを設けたもので、底板部１３ａの幅寸法は箱形仕切板１１の短辺や板状仕切板１２の端板１２ｂ及び脚部１２ｃの幅寸法と同等に設定され、係止片１３ｂの内面間寸法は、商品陳列部２の奥行き寸法以下で、かつ、箱形仕切板１１の長辺の２倍より僅かに大きく、かつ、板状仕切板１２の両端板１２ｂの両外面間の寸法より僅かに大きく設定されている。また、底板部１３ａの中央部には、板状仕切板１２の仕切板部１２ａ中央部下端に設けられた脚部１２ｃに対応した大きさの平板状の載置部１３ｃが設けられている。この中間仕切板１３は、箱形仕切板１１及び板状仕切板１２のいずれの上にも載置可能で、かつ、中間仕切板１３の上に箱形仕切板１１及び板状仕切板１２のいずれも載置可能な形状に形成されている。
【００１５】
前記箱形仕切板１１及び前記板状仕切板１２の高さ寸法は、これらの間に前記中間仕切板１３を配置した状態で、商品陳列部２の底面から前記冷気吹出口６及び前記冷気吸込口８まの高さ寸法以下になる必要がある一方で、高さを低くし過ぎると下段における収納量が減少することから、商品陳列部２の底面から前記冷気吹出口６及び前記冷気吸込口８まの高さ寸法に対して略１／２に設定されている。
【００１６】
このように形成された仕切板１１，１２，１３を用いて商品陳列部２でアイスクリームを陳列販売をする場合には、図３に示すように、まず、商品陳列部２の底面に、複数（本形態例では６個）の板状仕切板１２を幅方向に等間隔に平行に配置する。次に、板状仕切板１２の上に６枚の中間仕切板１３を水平方向に並べて載置し、さらに、中間仕切板１３の上に前後方向に２列、幅方向にそれぞれ６個、計１２個の箱形仕切板１１を載置した状態とする。このとき、板状仕切板１２の天地を逆にして脚部１２ｃを上にすることにより、板状仕切板１２の上に載置する中間仕切板１３及び箱形仕切板１１をより安定した状態とすることができる。
【００１７】
そして、中間仕切板１３で上下に区画された上段の箱形仕切板１１内に陳列販売するアイスクリームを収容し、下段の板状仕切板１２間は、上段の箱形仕切板１１内に収容したアイスクリームと同種の補充用アイスクリームを保管するために用いる。下段の板状仕切板１２間に保管したアイスクリームを上段の箱形仕切板１１内に補充する際には、補充対象となる箱形仕切板１１と、その前又は後に並んでいる箱形仕切板１１とを共に取り除き、さらに、その下の中間仕切板１３を取り除くことによって行うことができ、必要な部分の箱形仕切板１１と中間仕切板１３とを取り除くだけで下段からのアイスクリームの補充を容易に行うことができる。
【００１８】
また、商品陳列部２で冷凍食品を陳列販売する場合には、図４に示すように、商品陳列部２の底面に、前記同様に１２個の箱形仕切板１１を配置し、その上に６枚の中間仕切板１３を水平方向に並べて載置することにより上段区画の底面を形成する。中間仕切板１３の上には、陳列する冷凍食品の大きさに合わせた間隔で複数の板状仕切板１２を幅方向に平行に並べて載置する。冷凍食品の大きさに応じて板状仕切板１２間の間隔を狭くしたい場合は、図５に示すように、端板１２ｂ，１２ｂ同士を前後に重ね合わせた状態とすればよい。また、大きな冷凍食品を陳列販売する場合には、中間仕切板１３の配置数を減らせばよい。さらに、板状仕切板１２間を前後に区画したいときには、Ｌ字状の補助仕切板１４を適当な位置に設ければよい。この場合も、下段の箱形仕切板１１内を補充用冷凍食品の保管用として用いることができる。
【００１９】
なお、本形態例では、商品陳列部２内への各仕切板１１，１２，１３の配置数は任意で
あり、商品陳列部２の奥行き寸法、幅寸法に合わせて適宜設定することができる。また、陳列販売する商品として、アイスクリームと冷凍食品とを代表例として示したが、他の商品の陳列、展示にも用いることができる。さらに、各仕切板１１，１２，１３は、冷気の流通を妨げなければ任意の材料を使用して形成することができる。
【図面の簡単な説明】
【００２０】
【図１】本発明の一実施形態を示す平型冷凍オープンショーケースの断面側面である。
【図２】同じく平型冷凍オープンショーケースの平面図である。
【図３】アイスクリーム販売用として使用する場合の各仕切板の配置例を示す斜視図である。
【図４】冷凍食品販売用として使用する場合の各仕切板の配置例を示す斜視図である。
【図５】隣接する板状仕切板の間隔を狭くした状態を示す概略平面図である。
【符号の説明】
【００２１】
１    平型冷凍オープンショーケース
２    商品陳列部
３    冷却器
４    送風機
５    下部ダクト
６    冷気吹出口
７    後部ダクト
８    冷気吸込口
９    前部ダクト
１１    箱形仕切板
１１ａ  底板
１１ｂ  側板
１２    板状仕切板
１２ａ  仕切板部
１２ｂ  端板
１２ｃ  脚部
１３    中間仕切板
１３ａ  底板部
１３ｂ  係止片
１３ｃ  載置部
１４    補助仕切板
【図１】
2008220500.tif 000003
【図２】
2008220500.tif 000004
【図３】
2008220500.tif 000005
【図４】
2008220500.tif 000006
【図５】
2008220500.tif 000007